(57)【要約】【課題】夜間においても屋外側からの視線を遮ることで、プライバシの保護を図ることができるブラインド装置を提供する。【解決手段】建物の外壁部には窓部が設けられ、窓部の屋内側にはスクリーン装置２０が設けられている。スクリーン装置２０は、シート状のスクリーン２１と、スクリーン２１を巻き取る巻取パイプ２２と、スクリーン２１下端部の筒状部に挿入されたウェイトバー２６とを備えている。スクリーン２１には、ウェイトバー２６の自重により上下方向に沿ってフラットな面が形成される。ウェイトバー２６には、ＬＥＤからなる照射部３０が長手方向に沿って複数内蔵されている。ウェイトバー２６及びスクリーン２１の筒状部には、各照射部３０の上方にウェイトバー２６の内外を連通する光開口部が設けられている。照射部３０から発せられる光はこの光開口部を通じて上方に照射され、スクリーン２１を照らす。【選択図】図２
2010281138.tif 000002
【特許請求の範囲】
【請求項１】
建物の外壁部に設けられた建物開口部において同建物開口部の屋内側に吊り下げられて配置されるシート部材を備え、該シート部材により前記建物開口部を遮蔽するブラインド装置であって、
前記シート部材の上端部及び下端部の少なくともいずれかには、前記シート部材に対して光を照射する照射手段が設けられていることを特徴とするブラインド装置。
【請求項２】
前記シート部材の下端部には、重り部材が設けられていることを特徴とする請求項１に記載のブラインド装置。
【請求項３】
前記シート部材として、ロールスクリーンを備え、
前記ロールスクリーンの下端部には、前記重り部材としてのウェイトバーが設けられ、
前記照射手段は、前記ウェイトバーに設けられていることを特徴とする請求項２に記載のブラインド装置。
【請求項４】
前記ウェイトバーは筒状をなし、その内側に前記照射手段としての光源が設けられ、前記ウェイトバーにおいて前記光源からの光を放出する光放出位置を可変としたことを特徴とする請求項３に記載のブラインド装置。
【請求項５】
屋外の明るさを検知する屋外光検知手段と、
前記屋外光検知手段により検知された前記屋外の明るさに基づいて、前記照射手段による光の照射を制御する制御手段と、
を備えることを特徴とする請求項１乃至４のいずれか一項に記載のブラインド装置。
【請求項６】
前記シート部材が設けられた居室の明るさを検知する室内光検知手段を備え、
前記制御手段は、前記室内光検知手段により検知された前記居室の明るさが前記屋外光検知手段により検知された前記屋外の明るさよりも大きい場合に、前記照射手段による光の照射を実施することを特徴とする請求項５に記載のブラインド装置。
【請求項７】
前記室内光検知手段は、前記シート部材よりも屋内側の明るさを検知する手段と、前記シート部材よりも屋外側の明るさを検知する手段と、を備え、
前記シート部材よりも屋外側の明るさが前記シート部材よりも屋内側の明るさを上回るように前記照射手段より照射される光の量を調整することを特徴とする請求項６に記載のブラインド装置。
【請求項８】
屋外における前記建物開口部の周辺に人が存在することを検知する人検知手段と、
前記人検知手段により前記建物開口部周辺に人の存在が検知された場合に、前記照射手段による照射態様を変更する照射態様変更手段と、
を備えることを特徴とする請求項１乃至７のいずれか一項に記載のブラインド装置。
【発明の詳細な説明】
【技術分野】
【０００１】
本発明は、ブラインド装置に関する。
【背景技術】
【０００２】
従来から、住宅等の建物では主に防犯用としてシャッタ装置が窓部等の開口部に設けられている場合がある。シャッタ装置は、複数のスラットからなるシャッタカーテンを備えており、このシャッタカーテンにより開口部を遮蔽する構成となっている。この種のシャッタ装置として、各スラットを開閉させるスラット開閉機能を備えたものが実用化されている。かかるシャッタ装置では、シャッタカーテンを閉じた状態でスラットを開けることができるため、防犯性を確保しながら通風や採光性を得ることができる。
【０００３】
しかしながら、スラット開閉機能を備えた上記シャッタ装置では、シャッタカーテンの閉状態においてスラットを開いた場合、屋外側から屋内を見通されるおそれがあり、プライバシの確保の面で問題があった。そこで、かかる問題を解決するものとして、各スラットの内側面にそれぞれＬＥＤを複数設けるとともに、スラット開放時にそれら複数のＬＥＤから屋外側に向けて光を発する技術が提案されている（例えば、特許文献１）。これによれば、スラット開放時にシャッタカーテン全体が明るく照らされるため、屋外側から屋内を見えにくくすることができる。
【先行技術文献】
【特許文献】
【０００４】
【特許文献１】特開２００７−１４６３９５号公報
【発明の概要】
【発明が解決しようとする課題】
【０００５】
ところで、開口部を遮蔽するための遮蔽手段としては、上記シャッタ装置の他に例えばロールスクリーン装置がある。ロールスクリーン装置は、スクリーンにより開口部を覆うことで太陽光や屋外からの視線を遮ったりするものである。ここで、スクリーンは、網目状に織られた布等からなるシート部材により形成されているのが一般的であり、上記シャッタ装置のスラット等と比べ屋外からの視線を透過しやすい。そのため、夜間においてはスクリーンの閉鎖状態であってもスクリーンを透かして屋外側から屋内を見通されるおそれがある。
【０００６】
また、上記特許文献１の技術は、スラット開閉式のシャッタ装置においてのみ適用可能な技術であり、１枚のスクリーンにより開口部を遮蔽するロールスクリーン装置に対しては適用することができない。そのため、ロールスクリーン装置については夜間の使用に際してプライバシ保護の面で依然課題がある。
【０００７】
なお、かかる問題は、ロールスクリーン装置のみならず網目状に織られた布等からなるシート部材により開口部を覆うブラインド装置全般において生じうる問題である。
【０００８】
本発明は、上記事情に鑑みてなされたものであり、夜間においても屋外側からの視線を遮ることで、プライバシの保護を図ることができるブラインド装置を提供することを主たる目的とするものである。
【課題を解決するための手段】
【０００９】
上記課題を解決すべく、第１の発明のブラインド装置は、建物の外壁部に設けられた建物開口部において同建物開口部の屋内側に吊り下げられて配置されるシート部材を備え、該シート部材により前記建物開口部を遮蔽するブラインド装置であって、前記シート部材の上端部及び下端部の少なくともいずれかには、前記シート部材に対して光を照射する照射手段が設けられていることを特徴とする。
【００１０】
ブラインド装置においてシート部材は吊り下げられて配置されているため、そのシート面が上下方向に沿って比較的フラットに形成されている。そこで、本発明では、その点に着目し、シート部材の上端部及び下端部のうち少なくともいずれかに照射手段を設け、シート部材の上方又は下方からシート部材に対して光を照射することとしている。この場合、照射手段から照射される光の進行がシート部材に生じる波打ち等により妨げられるのを極力回避できるため、照射手段からの光をシート部材の上下方向全域に行き渡らせることができる。つまり、シート部材全体を明るく照らすことができるため、夜間において屋外側からの視線を遮ることができ、ひいてはプライバシの保護を図ることができる。また、スラットごとに複数のＬＥＤを設けた従来技術に比べて、照射手段としての光源の数を大幅に減らすことができる利点もある。
【００１１】
第２の発明のブラインド装置は、第１の発明において、前記シート部材の下端部には、重り部材が設けられていることを特徴とする。
【００１２】
本発明によれば、シート部材の下端部に重り部材が設けられているため、シート部材が重り部材の自重により垂れ下がって配置され、具体的にはシート部材が上下方向に引っ張られた状態で配置される。そのため、照射手段から照射された光の進行がシート部材に生じる波打ち等により妨げられるのをより一層回避することができ、その結果照射手段からの光をシート部材の上下方向全域に行き渡らせ易くすることができる。
【００１３】
第３の発明のブラインド装置は、第２の発明において、前記シート部材として、ロールスクリーンを備え、前記ロールスクリーンの下端部には、前記重り部材としてのウェイトバーが設けられ、前記照射手段は、前記ウェイトバーに設けられていることを特徴とする。
【００１４】
本発明によれば、ロールスクリーンの下端部に設けられたウェイトバーに照射手段を設置したため、ロールスクリーンの上端部に設けられ同スクリーンを巻き取る巻取パイプに照射手段を設置する場合とは異なり、ロールスクリーンの巻取り及び引出しに際して照射手段が回転することがない。そのため、仮に、ロールスクリーンが所定の位置まで下がりきっていない場合でも、照射手段から照射される光の向きが変わることがないためロールスクリーンを照らすことが可能となる。また、巻取パイプに照射手段を設置する場合とは異なり、ロールスクリーンの巻き取りの際、照射手段が邪魔になるのを回避できるという利点もある。
【００１５】
第４の発明のブラインド装置は、第３の発明において、前記ウェイトバーは筒状をなし、その内側に前記照射手段としての光源が設けられ、前記ウェイトバーにおいて前記光源からの光を放出する光放出位置を可変としたことを特徴とする。
【００１６】
本発明によれば、筒状をなしたウェイトバーの内側に設けられた光源から放出される光の放出位置が可変とされている。したがって、例えばロールスクリーンの屋内側の位置から光を放出させることによりロールスクリーンの屋内側面を照らしたり、ロールスクリーンの屋外側の位置から光を放出させることによりロールスクリーンの屋外側面を照らしたりする等、ロールスクリーンを多様に照らすことが可能となる。
【００１７】
第５の発明のブラインド装置は、第１乃至第５のいずれかの発明において、屋外の明るさを検知する屋外光検知手段と、前記屋外光検知手段により検知された前記屋外の明るさに基づいて、前記照射手段による光の照射を制御する制御手段と、を備えることを特徴とする。
【００１８】
本発明によれば、屋外の明るさに基づいて照射手段による光の照射が制御されるため、
例えば夜になって屋外が暗くなった場合に、つまり照明により照らされた屋内を屋外側から見通すことができる時間帯になった場合にシート部材を自動で照らす等することができる。これにより、屋外側からの視線を遮るにあたって利便性を高めることができる。
【００１９】
第６の発明のブラインド装置は、第５の発明において、前記シート部材が設けられた居室の明るさを検知する室内光検知手段を備え、前記制御手段は、前記室内光検知手段により検知された前記居室の明るさが前記屋外光検知手段により検知された前記屋外の明るさよりも大きい場合に、前記照射手段による光の照射を実施することを特徴とする。
【００２０】
本発明によれば、シート部材が設けられた居室の明るさが屋外の明るさよりも大きい場合に照射手段により遮蔽手段に対し光が照射される。したがって、例えば夜になって居室に照明が灯される等して居室内が屋外よりも明るくなった場合に、つまり屋外側から屋内を見通すことができる状況となった場合に遮蔽手段が自動で照らされるため、屋外側からの視線を遮るにあたって利便性を高めることができる。また、夜になっても居室に照明が灯されていない場合には、照射手段による光の照射が行われないため、無駄な照射を防止できる。
【００２１】
第７の発明のブラインド装置は、第６の発明において、前記室内光検知手段は、前記シート部材よりも屋内側の明るさを検知する手段と、前記シート部材よりも屋外側の明るさを検知する手段と、を備え、前記シート部材よりも屋外側の明るさが前記シート部材よりも屋内側の明るさを上回るように前記照射手段より照射される光の量を調整することを特徴とする。
【００２２】
本発明によれば、照射手段よりシート部材に対して照射される光の量を調整することで、居室においてシート部材の屋外側をシート部材の屋内側よりも明るくすることができる。これにより、屋外側からの視線を遮る効果をより一層高めることができる。
【００２３】
第８の発明のブラインド装置は、第７の発明において、屋外における前記建物開口部の周辺に人が存在することを検知する人検知手段と、前記人検知手段により前記建物開口部周辺に人の存在が検知された場合に、前記照射手段による照射態様を変更する照射態様変更手段と、を備えることを特徴とする。
【００２４】
本発明によれば、屋外において建物開口部に人が近づいた場合には、照射手段による照射態様が変更される。したがって、例えば、照射手段より照射される光を点滅させ遮蔽手段を明滅させることで建物開口部に近づいた不審者を威嚇したり、照射手段より照射される光の量を増やし遮蔽手段をより明るく照らすことで建物開口部に近づいた人の視線を遮る効果を高めたりすることができる。
【００２５】
また、人検知手段により屋外における建物開口部の周辺に人が所定時間以上存在することが検知された場合に、照射手段による照射態様を変更してもよい。この場合、建物開口部の近くを通り過ぎるだけの居住者等については検知されないため、誤検知防止を図ることができる。
【図面の簡単な説明】
【００２６】
【図１】スクリーン装置周辺を示す側面図。
【図２】スクリーン装置を示す斜視図。
【図３】ウェイトバー周辺の構成を示す縦断面図。
【図４】制御システムの電気的構成を示す図。
【図５】照射制御処理を示すフローチャート。
【図６】別例におけるウェイトバー周辺の構成を示す縦断面図。
【図７】バーチカルブラインドを示す斜視図。
【発明を実施するための形態】
【００２７】
以下に、本発明を具体化する一実施の形態について図面を参照しつつ説明する。本実施形態では、住宅等の建物に設けられた窓部等の建物開口部の屋内側に設置されるブラインド装置として、ロールスクリーン装置（以下の説明では、略してスクリーン装置という）を具体化している。なお、図１はスクリーン装置周辺を示す側面図である。
【００２８】
図１に示すように、住宅等の建物１０には、リビング等の居室１５が建物内空間として設けられている。居室１５と屋外空間とを仕切る外壁部１１には、建物開口部としての窓部１２が設けられている。窓部１２には、当該窓部１２を開閉するガラス戸１３が配設されており、ガラス戸１３の屋内側には巻き取り式のスクリーン装置２０が設けられている。
【００２９】
スクリーン装置２０は、網目状に織られた布等によりシート状に形成されたスクリーン２１（シート部材及びロールスクリーンに相当）と、スクリーン２１を巻き取るための巻取パイプ２２等を備えて構成されており、ガラス戸１３の上方にブラケット２９を介して取り付けられている。スクリーン２１が巻取パイプ２２から引き出される（降下する）と窓部１２を覆う閉状態となり、スクリーン２１が巻取パイプ２２により巻き取られる（上昇する）と窓部１２が露出する開状態となる。そして、スクリーン２１の閉状態（吊り下げ状態）において、屋外からの視線や太陽光をスクリーン２１により遮ることができるようになっている。
【００３０】
次に、このスクリーン装置２０の構成について図２を参照しながらもう少し詳しく説明する。なお、図２はスクリーン装置を示す斜視図である。
【００３１】
図２に示すように、スクリーン装置２０は、長尺状に形成されたセットフレーム２４と、セットフレーム２４の長手方向両端部に取り付けられた一対のサイドプレート２５とを備えている。セットフレーム２４の裏側には、スクリーン装置２０をガラス戸１３の上方に取り付けるための上記ブラケット２９が設けられている。
【００３２】
巻取パイプ２２は、上記一対のサイドプレート２５の間に設けられ、これら両サイドプレート２５により回転可能に軸支されている。巻取パイプ２２には、スクリーン２１の一端部（上端部）が連結されており、巻取パイプ２２が正方向又は逆方向に回転することにより、スクリーン２１が巻取り又は送り出しされるようになっている。巻取パイプ２２の長手方向の一端部には操作チェーン２７が取り付けられている。このチェーン２７の手前部分（屋内側部分）又は奥側部分（屋外側部分）を引き下げることにより巻取パイプ２２を正方向又は逆方向に回転させることができるようになっている。つまり、このチェーン２７を操作することによりスクリーン２１の巻き取り及び引き出しが可能となっている。
【００３３】
スクリーン２１の他端部（下端部）には、アクリル製樹脂等からなるウェイトバー２６が設けられている。ウェイトバー２６は、長尺状かつ円筒状に形成された重り部材であり、その自重によってスクリーン２１を垂下させるものである。ウェイトバー２６は、詳細にはスクリーン２１の横幅よりも若干長い長さ寸法を有しており、その両端部がはみ出した状態でスクリーン２１の下端部に形成された筒状部２１ａ（図３参照）に挿入されている。そして、ウェイトバー２６の上記はみ出した部分には、それぞれエンドキャップ２８が取り付けられ、このエンドキャップ２８によりウェイトバー２６が筒状部２１ａから抜け出るのを防止している。ここで、スクリーン２１は、その上端部が巻取パイプ２２に固定された状態で下端部がウェイトバー２６の自重により下方に引っ張られるため、スクリーン２１には上下方向に沿ってフラットな面が形成される。
【００３４】
ところで、スクリーン装置２０に用いられるスクリーン２１は上述したように網目状の布等によりシート状に形成されているため、昼間においては屋外側からの視線や太陽光を遮ることができるが、夜間においては居室１５内の照明の光が屋外側に透過し屋外側から居室１５内をスクリーン２１を透かして見通されるおそれがある。そこで、本実施形態では、スクリーン２１に対して光を照射する照射部をスクリーン装置２０に備え、その照射部によりスクリーン２１を明るく照らすことで、夜間において屋外側からの視線を遮ることとしている。以下、その詳細について図２に加え図３を参照しつつ説明する。なお、図３はウェイトバー２６周辺の構成を示す縦断面図である。
【００３５】
図２に示すように、スクリーン装置２０のウェイトバー２６には、照射手段としての照射部３０が設けられている。照射部３０は、スクリーン２１に対して光を照射するものであり、例えばＬＥＤ（発光ダイオード）により構成されている。照射部３０は、ウェイトバー２６に内蔵されており、ウェイトバー２６の長手方向全域にわたって所定間隔で複数設けられている。なお、照射部３０は、必ずしもＬＥＤにより構成する必要はなく、蛍光灯や白熱球等その他の照射手段により構成してもよい。
【００３６】
図３に示すように、各照射部３０は、ウェイトバー２６の内部において、スクリーン２１よりも屋内側（屋外側とは反対の側）寄りに配置されている。ウェイトバー２６及びスクリーン２１の筒状部２１ａには、各照射部３０の上方にそれぞれ光開口部３３，３４が設けられている。各光開口部３３，３４は、スクリーン２１よりも屋内側の部分に設けられ、かつ対応する位置関係で設けられている。したがって、これら光開口部３３，３４によりウェイトバー２６の内外が連通されている。照射部３０から発せられる光はこの光開口部３３，３４を通じて上方に照射され、これによってスクリーン２１の屋内側面（換言すると、居室１５に面した側の面）が照らされる。また、照射部３０は上述したようにウェイトバー２６の長手方向に沿って複数設けられているため、これら各照射部３０によってスクリーン２１全域がほぼ均一の照度で照らされるようになっている。さらに、各照射部３０は調光可能とされており、照射部３０から照射される光の量を調整することでスクリーン２１の明るさ（照度）を変えられるようになっている。
【００３７】
巻取パイプ２２内には、照射部３０に電力を供給する給電部３１が設けられている。給電部３１と照射部３０とは配線３２によって接続されており、給電部３１から配線３２を介して照射部３０に電力供給されるようになっている。配線３２は、スクリーン２１の側端部に沿って延びており、その一端部が巻取パイプ２２内に入り給電部３１に接続されるとともに、他端部がウェイトバー２６内に入り照射部３０に接続されている。なお、配線３２はスクリーン２１と一体で巻き取り又は引き出しされるようになっている。
【００３８】
図１の説明に戻り、居室１５には、当該居室１５を照らすための照明器具１６が設けられている。照明器具１６は、蛍光灯や白熱灯等からなり、居室１５の天井側に設置されている。また、照明器具１６は調光可能とされており、照明器具１６からスクリーン２１に対して照射する光の量を調整できるようになっている。
【００３９】
居室１５には、室内光検知手段としての居室照度センサ３７と、スクリーン照度センサ３８とが設けられている。居室照度センサ３７は、スクリーン２１の屋内側（屋外側とは反対側）における居室１５（以下、場合によって「居室１５のスクリーン屋内側」と略す）の照度を検知するセンサである。居室照度センサ３７は、例えば居室１５の壁面に設けられている。スクリーン照度センサ３８は、スクリーン２１の屋外側における居室１５（以下、場合によって「居室１５のスクリーン屋外側」と略す）の照度を検知するセンサである。つまり、スクリーン照度センサ３８は、居室１５におけるスクリーン２１とガラス戸１３との間の照度を検知するものであり、例えばガラス戸１３の居室１５側面に設けられている。
【００４０】
建物１０には、屋外光検知手段としての屋外照度センサ３９が設けられている。屋外照度センサ３９は、屋外の照度を検知するセンサであり、例えば外壁部１１の屋外側面に設けられている。
【００４１】
建物１０には、人検知手段としての人検知センサ３６が設けられている。人検知センサ３６は、屋外における窓部１２周辺に人が存在することを検知するセンサであり、例えば外壁部１１の屋外側面に設置されている。
【００４２】
次に、スクリーン装置２０において照射部３０の照射制御を行う制御システムの電気的構成を図４に基づいて説明する。
【００４３】
図４に示すように、建物１０には、制御手段としてのコントローラ３５が設けられている。コントローラ３５は、ＣＰＵ等を有する周知のマイクロコンピュータを主体に構成されており、例えば居室１５の壁面に設けられている。
【００４４】
コントローラ３５の入力側には、人検知手段としての人検知センサ３６が接続されている。人検知センサ３６からは逐次検知結果がコントローラ３５に入力される。
【００４５】
コントローラ３５の入力側には、３つの照度センサ３７〜３９が接続されている。これら各照度センサ３７〜３９からはそれぞれ照度情報が逐次コントローラ３５に入力される。
【００４６】
コントローラ３５の出力側には、各照射部３０が接続されている。コントローラ３５は、人検知センサ３６及び各照度センサ３７〜３９からの検知結果に基づいて、各照射部３０に対し照射信号を出力する。これにより、照射部３０からスクリーン２１に対して光が照射される。また、コントローラ３５は、居室照度センサ３７及びスクリーン照度センサ３８からの検知結果に基づいて、照射部３０に出力する照射信号の出力レベルを調整する。これにより、照射部３０からスクリーン２１に対して照射される光の量が調整される。
【００４７】
次に、コントローラ３５によって実行される照射制御処理について図５に基づいて説明する。本処理は、居住者によりスクリーン２１が引き出された（降ろされた）ことをトリガとして開始される。具体的には、スクリーン装置２０には、スクリーン２１が引き出されたことを検知する引き出し検知センサが設けられ、同センサから検知結果がコントローラ３５に入力されたことに基づいて本処理が開始される。なお、本処理は、所定の周期で繰り返し実行される。
【００４８】
まずステップＳ１１において、居室１５（詳細にはスクリーン屋内側）が屋外よりも明るいか否かを判定する。具体的には、居室照度センサ３７及び屋外照度センサ３９からの照度情報に基づいて、居室１５のスクリーン屋内側の照度が屋外の照度よりも大きいか否かを判定する。居室１５のスクリーン屋内側が屋外よりも明るい場合、例えば夜になって居室１５が照明器具１６により照らされた場合等には、ステップＳ１２に進み、照射処理を実行する。照射処理では、各照射部３０に対し照射信号を出力する。これにより、各照射部３０から光が照射され、その光によりスクリーン２１が明るく照らされる。なお、このときすでに照射処理を実行している場合には、そのまま照射処理を継続する。
【００４９】
ステップＳ１３では、居室１５のスクリーン屋内側がスクリーン屋外側よりも明るいか否かを判定する。具体的には、居室照度センサ３７及びスクリーン照度センサ３８からの照度情報に基づいて、居室１５のスクリーン屋内側の照度がスクリーン屋外側の照度よりも大きいか否かを判定する。居室１５のスクリーン屋内側がスクリーン屋外側よりも暗い場合には、ステップ１５に進む。居室１５のスクリーン屋内側がスクリーン屋外側よりも明るい場合には、ステップＳ１４に進む。
【００５０】
ステップＳ１４では、各照射部３０に出力する照射信号の出力レベルを上げることで、照射部３０から照射される光の量を増加させる。具体的には、居室照度センサ３７及びスクリーン照度センサ３８からの照度情報に基づいて、居室１５のスクリーン屋外側の照度がスクリーン屋内側の照度よりも大きくなるまで照射部３０から照射される光の量を増加させる。これにより、居室１５においてスクリーン屋外側がスクリーン屋内側よりも明るく照らされる。
【００５１】
続くステップＳ１５では、人検知センサ３６からの検知結果に基づいて、屋外における窓部１２周辺に人が存在しているか否かを判定する。具体的には、窓部１２周辺に人が所定時間（例えば３分）以上存在しているか否かを判定する。窓部１２周辺に人が存在していない場合には、本処理を終了する。窓部１２周辺に人が存在している場合には、ステップＳ１６に進み、各照射部３０に対して点滅信号を出力する。これにより、照射部３０から照射される光が点滅しスクリーン２１が明滅するため、屋外において窓部１２周辺をうろつく不審者を威嚇することができる。その後、本処理を終了する。なお、照射部３０による光の点滅は、人検知センサ３６により人が検知されなくなったことをもって、ステップＳ１２の照射処理に切り替えられる。
【００５２】
前述のステップＳ１１において、居室１５が屋外よりも暗い場合には、ステップＳ１７に進み、照射部３０に対する照射信号の出力を停止する。これにより、照射部３０による光の照射が停止する。なお、このときすでに照射部３０による照射が停止している場合には、そのまま停止状態を継続する。その後、本処理を終了する。
【００５３】
以上、詳述した本実施形態の構成によれば、以下の優れた効果が得られる。
【００５４】
スクリーン装置２０においてスクリーン２１は、その閉状態（吊り下げ状態）においてウェイトバー２６の自重により垂れ下がって配置されているため、そのスクリーン面が上下方向に沿ってフラットに形成されている。そこで、上記実施形態では、スクリーン２１の下端部に設けられたウェイトバー２６に照射部３０を設け、この照射部３０によりスクリーン２１に対し光を照射する構成とした。この場合、照射部３０から照射される光の進行がスクリーン２１に生じる波打ち等により妨げられるのを極力回避できるため、照射部３０からの光をスクリーン２１の上下方向全域に行き渡らせることができる。つまり、スクリーン２１全体を明るく照らすことができるため、夜間において居室１５が照明器具１６により照らされた場合でも、屋外側からの視線を遮ることができ、ひいてはプライバシの保護を図ることができる。
【００５５】
また、スラットごとに複数のＬＥＤを設けた従来技術に比べて、光源（照射部３０に相当）の数を大幅に減らすことができる利点もある。
【００５６】
さらに、居室１５を囲む壁や天井等と比べ窓部１２側（スクリーン２１側）が暗く、居室１５内において照度差が生じている場合には、照射部３０によりスクリーン２１を照らすことでかかる照度差を解消できる利点もある。
【００５７】
ところで、スクリーン装置２０から離れた位置（例えば居室１５の天井や壁等）に照射部３０を設置し、その離れた位置からスクリーン２１に光を照射しても上記効果は得られるが、この場合スクリーン装置２０と照射部３０とに間に物が置かれたり人が通ったりするとスクリーン２１を十分に照らすことができないおそれがある。その点、照射部３０をウェイトバー２６に設けた上記構成によれば、かかる不都合を回避しつつ上記の効果を得ることができる。
【００５８】
照射部３０をウェイトバー２６に設置する構成としたため、照射部３０を巻取パイプ２２に設置する場合とは異なり、スクリーン２１の巻取り又は引き出しに際して照射部３０が回転することがない。したがって、仮にスクリーン２１が下がりきっていない場合でも、照射部３０から放出される光の向きが変わることはないためスクリーン２１を照らすことができる。
【００５９】
照射部３０をウェイトバー２６の長手方向に沿って複数設置したため、１個だけ設置した場合と比べスクリーン２１を隈なく照らすことができる。これにより、照射部３０からの光が届かないスクリーン２１における暗部を通じて屋外側から屋内を見通される事態を極力回避できる。
【００６０】
スクリーン装置２０に通常既設されているウェイトバー２６に対し照射部３０を設ける構成としたため、照射部３０を設置するための専用部材等を別途用意することなく照射部３０を設置できる。
【００６１】
居室照度センサ３７により検知された居室１５内の照度が屋外照度センサ３９により検知された屋外の照度よりも大きい場合に、照射部３０による光の照射を実施するようにした。したがって、夜になって照明器具１６により居室１５が照らされ居室１５内が屋外よりも明るくなった場合に、つまり屋外側から居室１５を見通すことができる状況となった場合にスクリーン２１が自動で照らされるため、屋外側からの視線を遮るにあたって利便性を高めることができる。また、夜になっても照明器具１６により居室１５が照らされていない場合には、照射部３０による光の照射が行われないため無駄な照射を防止することができる。
【００６２】
スクリーン照度センサ３８により検知された居室１５のスクリーン屋外側の照度が居室照度センサ３７により検知された居室１５のスクリーン屋内側の照度よりも大きくなるように照射部３０から照射される光の量を調整することとした。この場合、居室１５においてスクリーン２１の屋外側がスクリーン２１の屋内側よりも明るく照らされるため、屋外側からの視線を遮る効果をより一層高めることができる。また、照明器具１６が調光されることで照明器具１６からの光の量が増えた場合でも、その光量の増加に応じて照射部３０からの光の量が調整されるため利便性を高めることができる。
【００６３】
屋外における窓部１２周辺に人が存在することが人検知センサ３６により検知された場合に、照射部３０から照射される光を点滅させることとした。この場合、スクリーン２１が明滅するため、窓部１２に近づいた不審者等を威嚇することができる。また、具体的には窓部１２周辺に人が所定時間以上存在することが検知された場合に照射部３０による点滅を行うこととしたため、窓部１２周辺を通り過ぎるだけの居住者等については検知されるのを回避できる。
【００６４】
本発明は上記実施形態に限らず、例えば次のように実施されてもよい。
【００６５】
（１）上記実施形態では、居室１５（詳細にはスクリーン屋内側）の照度が屋外の照度よりも大きい場合に照射処理を実行するようにしたが、居室１５の照度と屋外の照度との照度差が所定の値よりも大きくなった場合に照射処理を実行するようにしてもよい。そうすれば、例えば居室１５の照度が屋外の照度よりも少しだけ大きい場合、つまり照射処理を実行しないでも屋外からの視線を遮ることができる場合には照射処理が実行されるのを回避できるため無駄な照射を防止できる。
【００６６】
また、屋外の照度が所定の値よりも小さい場合に照射処理を実行するようにしてもよい。この場合、例えば所定の値を日没後の照度（例えば３０ルクス）に設定すれば、夕方になり屋外が薄暗くなった場合に、つまり屋外側から居室１５内を見通すことができるようになった場合にスクリーン２１が自動で照らされるため、屋外側からの視線を遮るにあたって利便性を高めることができる。
【００６７】
また、居室１５の壁面等に居住者により操作される操作部を設け、この操作部の操作に基づいて照射部３０による光の照射を実行するようにしてもよい。そうすれば、居住者の必要に応じて屋外からの視線を遮ることができる。また、夜間において居室１５が照明器具１６により照らされていない状態で、操作部の操作に基づいて照射部３０による光の照射を実施すれば、居室１５内においてスクリーン２１周辺だけを明るく照らすことができる。この場合、居室１５内をスクリーン２１からの反射光によって間接的に照らすことができるため、居室１５内にくつろぎ感を演出することができる。
【００６８】
（２）屋外における窓部１２周辺に人が存在することが人検知センサ３６により検知された場合に、照射部３０による光の照射を実施するようにしてもよい。この場合、不審者等が窓部１２に近づくとスクリーン２１が照らされるため、屋外側からの視線を遮ることができるとともに、窓部１２に近づいた不審者を威嚇することができる。また、窓部１２周辺に人が所定期間存在することが検知された場合に、照射部３０による光の照射を実施するようにすれば、窓部１２周辺を通り過ぎるだけの居住者等が検知されるのを回避できる。
【００６９】
（３）居室１５内に人が存在することを検知する人検知センサを備え、人検知センサにより人の存在が検知された場合に照射部３０による光の照射を実施するようにしてもよい。これにより、居室１５内に居住者等がいる場合にスクリーン２１が明るく照らされるため、居住者等の姿を屋外側から見られるのを防止できる。
【００７０】
（４）上記実施形態では、照射部３０をスクリーン２１の下端部に設けられたウェイトバー２６に設置する構成としたが、照射部３０は必ずしもスクリーン２１の下端部に設ける必要はなく、スクリーン２１の上端部に設けてもよい。例えば、スクリーン２１の上端部に設けられた巻取パイプ２２に照射部３０を設置することが考えられる。具体的には、巻取パイプ２２の内部に照射部３０を設置し、巻取パイプ２２における照射部３０の下方に光開口部を設ける。この場合、スクリーン２１の上端部から下方に向けて同スクリーン２１に対し光が照射されるため、照射された光をシートの波打ち等により妨げられることなくスクリーン２１の上下方向全域にゆきわたらせることができる。したがって、この場合においても、スクリーン２１を明るく照らすことができ、夜間において屋外側からの視線を遮ることができる。
【００７１】
また、スクリーン２１の上端部及び下端部の双方に照射部３０を設置してもよい。例えば、照射部３０をウェイトバー２６に設置するのに加え、巻取パイプ２２に設置することが考えられる。そうすれば、スクリーン２１の上下両端部からスクリーン２１に対し光が照射されるため、スクリーン２１全域をより均一の照度で照らすことができる。したがって、スクリーン２１における照度の小さい部分（例えば照射部３０から比較的離れた部分）を通じて屋外側から屋内を見通されるのを抑制することができる。
【００７２】
なお、照射部３０は必ずしも複数設置する必要はなく、１つだけ設置してもよい。例えば、照射部３０を長尺状の蛍光灯等により構成した場合には、照射部３０をウェイトバー２６の長手方向に沿って１つだけ設置すれば、スクリーン２１全域を努めて均一に照らすことができる。
【００７３】
（５）照射部３０から放出される光の放出位置を可変としてもよい。例えば、ウェイトバーの内外を連通する光開口部の開口位置をスクリーンの屋内側と屋外側とに選択的に切り替える開口切替手段を設け、この開口切替手段により光の放出位置をスクリーンの屋内側と屋外側とに切り替えることが考えられる。以下、その具体例を図６に基づいて説明する。図６に示すように、ウェイトバー４１及びスクリーン４２の筒状部４２ａには、それぞれ光開口部４５，４６が設けられている。これら光開口部４５，４６によりウェイトバー４１の内外が連通されている。光開口部４５，４６は、スクリーン４２の屋内側及び屋外側にそれぞれ設けられており、スクリーン２１の平坦部と筒状部４２ａとの境界近くに設けられている。屋内側光開口部４５ａ，４６ａと屋外側光開口部４５ｂ，４６ｂとはそれぞれ、ウェイトバー４１の長手方向に沿って所定間隔で複数設けられ、スクリーン２１の平坦部を挟んで各々が対向するように配置されている。ウェイトバー４１の内周側には、当該ウェイトバー４１の長手方向に沿って延びる開口切替部材４３が設けられている。開口切替部材４３は円筒状に形成されており、ウェイトバー４１の内径とほぼ同じ外径を有している。開口切替部材４３には、長手方向に沿って複数の開口部４３ａが設けられ、各開口部４３ａはそれぞれ光開口部４５，４６に対応する部位に設けられている。開口切替部材４３は、ウェイトバー４１の内周に沿って回転可能とされており、回転することにより開口部４３ａの位置を変えられるようになっている。具体的には、開口切替部材４３は、開口部４３ａが屋内側光開口部４５ａ，４６ａと連続する屋内位置（図６（ａ）参照）と、開口部４３ａが屋外側光開口部４５ｂ，４６ｂと連続する屋外位置（図６（ｂ）参照）との間で回転可能とされている。したがって、開口切替部材４３が屋内位置にある場合には、屋内側光開口部４５ａ，４６ａ（及び開口部４３ａ）を通じてウェイトバー４１の内外が連通される一方、屋外側光開口部４５ｂ，４６ｂでは開口切替部材４３により上記連通が遮断される。また、開口切替部材４３が屋外位置にある場合には屋外側光開口部４５ｂ，４６ｂ（及び開口部４３ａ）を通じてウェイトバー４１の内外が連通される一方、屋内側光開口部４５ａ，４６ａでは開口切替部材４３により上記連通が遮断される。
【００７４】
各光開口部４５，４６の下方にはそれぞれ、照射部３０が設けられている。本実施形態では、開口切替部材４３の位置を屋内位置と屋外位置との間で切替えることにより照射部３０から放出される光の放出位置を変えられるようになっている。具体的には、開口切替部材４３が屋内位置に設定された場合には、照射部３０から発せられる光が屋内側光開口部４５ａ，４６ａを通じて上方に照射され、スクリーン４２の屋内側面が照らされる。一方、開口切替部材４３が屋外位置に設定された場合には、照射部３０から発せられる光が屋外側光開口部４５ｂ，４６ｂを通じて上方に照射され、スクリーン４２の屋外側面が照らされる。したがって、上記構成では、開口切替部材４３の位置を屋内位置と屋外位置との間で切り替えることにより、照射部３０により光が照射されるスクリーン４２の照射面を屋内側面と屋外側面とに切り替えできるようになっている。
【００７５】
これにより、スクリーン２１に反射された光によって居室１５内を間接的に照らしたい場合にはスクリーン４２の屋内側面に対して光を照射したり、またスクリーン２１の屋外側を照らして屋外側からの視線を遮りたい場合にはスクリーン４２の屋外側面に対して光を照射したりすることができる。つまり、この場合居住者のニーズに応じて照らし方を変えることができる。
【００７６】
（６）上記実施形態では、屋外における窓部１２周辺に人が存在することが人検知センサ３６により検知された場合に、照射部３０により照射される光を点滅させスクリーン２１を明滅させることとしたが、これを変更して、照射部３０により照射される光の量を増やしてスクリーン２１をより明るく照らす等その他の照射態様で照射するようにしてもよい。この場合においても、上記実施形態と同様、窓部１２に近づいた不審者等を威嚇することができる。また、照射部３０により照射される光の量を増やしてスクリーン２１をより明るく照らす場合には、屋外側からの視線を遮る効果を高めることもできる。
【００７７】
（７）上記実施形態では、本発明をスクリーン装置２０に適用した場合について説明したが、本発明をその他のブラインド装置に適用してもよい。例えば、上下に延びる複数のスラットを有してなるバーチカルブラインドに対して本発明を適用することが考えられる。図７に示すように、バーチカルブラインド５０は、横方向に延びるヘッドレール５１と、ヘッドレール５１により吊り下げ支持されている複数のスラット５２（シート部材に相当）とを備え、これら複数のスラット５２が横方向に一部重なるように並べられることで窓部１２を閉鎖する構成となっている。スラット５２は布生地よりなり、上下方向に延びるように形成されている。各スラット５２の下端部にはそれぞれ袋状の折り返し部分５３が形成されており、その折り返し部分５３の内側にはバランスウェイト（重り部材に相当）が収容されている。したがって、各スラット５２はバランスウェイトの自重により垂れ下がった状態となっており、そのためスラット面が上下方向に沿って比較的フラットに形成されている。
【００７８】
スラット５２の折り返し部分５３の上端部には、折り返し部分５３の内外を連通する開口部（図示略）が設けられている。折り返し部分５３の内側には、上記開口部の下方位置に照射部５５が設けられており、照射部５５から発せられる光が開口部を通じて上方に照射されるようになっている。なお、照射部５５は、折り返し部分５３の内部においてバランスウェイトに干渉することなく、かつ、バランスウェイトにより光の進行を妨げられることがないよう設けられている。この場合、照射部５５から照射された光の進行がスラット５２に生じる波打ち等により妨げられるのを回避することができるため、照射部５５からの光をスラット５２の上下方向全域に行き渡らせることができる。これにより、各スラット５２を明るく照らすことができるため、夜間においても屋外側からの視線を遮ることができ、プライバシの保護を図ることができる。
【符号の説明】
【００７９】
１０…建物、１１…外壁部、１２…建物開口部としての窓部、１５…居室、２０…ブラインド装置としてのスクリーン装置、２１…シート部材及びロールスクリーンとしてのスクリーン、２６…重り部材としてのウェイトバー、３０…照射手段としての照射部、３５…制御手段及び照射態様変更手段としてのコントローラ、３６…人検知手段としての人検知センサ、３７…室内光検知手段としての居室照度センサ、３８…スクリーン照度センサ、３９…屋外光検知手段としての屋外照度センサ、５０…ブラインド装置としてのバーチカルブラインド。
【図１】
2010281138.tif 000003
【図２】
2010281138.tif 000004
【図３】
2010281138.tif 000005
【図４】
2010281138.tif 000006
【図５】
2010281138.tif 000007
【図６】
2010281138.tif 000008
【図７】
2010281138.tif 000009